(57)【要約】  【課題】      薄い魚皮からなる擬餌を釣り針にチョン掛けにして使用できるようにすることによって、釣果の向上を図ろうとするものである。  【解決手段】  一方側から他方側に向けて幅狭状になるように裁断した細長状の薄いシート片の幅広側部に、釣り針を刺し入れ得る柔軟性樹脂を盛り付けることによって膨出部を形成した魚釣り用擬餌。  【選択図】    図１
2006304687.tif 000002
【特許請求の範囲】
【請求項１】
細長状に裁断した薄いシート片２の一方側端部に、釣り針４を刺し入れ可能な柔軟性樹脂を盛り付けることによって膨出部３を形成したことを特徴とする魚釣り用擬餌。
【発明の詳細な説明】
【技術分野】
【０００１】
この発明は、魚釣りに際して使用する擬餌の改良に関するものである。
【背景技術】
【０００２】
メバル、鯛等の根付魚や、ハマチ、アジ、サバ等の回遊魚を釣る場合、幹糸から多数のハリスを延出させ、各ハリスの先端部に釣り針を結び付けた胴付仕掛が使用されるのであるが、このような胴付仕掛は、図４のＡに示すように、魚皮等からなる薄いシート片７を細長状にカットするとともに長手方向に沿って山折状にした後、その基部を釣り針８のチモトに配置させて結び付け固定した擬餌針９が取り付けられた構成となっているのが普通である。
【発明の開示】
【発明が解決しようとする課題】
【０００３】
擬餌針を使用してメバル、鯛、ハマチ等を釣る場合、海水の流れや釣り人の竿操作によって擬餌が生餌と同じような柔らかい自然な動きをするのが理想であるが、魚皮等からなる薄いシート片（通常は、０．０５ｍｍ〜０．１ｍｍ程度の厚さ乾燥魚皮が使用されている。）を山折状し、その基部を釣り針のチモトに配置させて結び付け固定した場合、海中に投下後しばらくの間は擬餌全体が硬直した状態であり、柔らかな自然な動きは損なわれ、生餌に比べて著しく釣果が損なわれる一方、時間の経過とともに魚皮は吸水して膨潤し、図４のＢに示すように平面状に展開して仕舞い、その基部が釣り針のチモト部に引っ掛かったような形となり、釣り針に魚が掛ることが全くない状態となって仕舞うのである。
このような点から、最近では、メバルや鯛等を狙う場合、薄い魚皮を細長状に裁断して擬餌を形成し、それを図５のＡの２に示すように、釣り針に引っ掛けて（いわゆる、チョン掛け。）使用することにより、擬餌に柔軟な動きを与え、魚の食いを良くしようとする手法が採られているのである。
【０００４】
しかし、細長状のシート片からなる薄い擬餌を釣り針にチョン掛して海中に投じた場合、掛け止めた孔が広がり、潮の流れによって、擬餌が釣り針から外れ落ちて仕舞うことになるのである。魚の食いを良くし釣果の向上を図るためには、魚皮を乾燥して形成した天然の擬餌を使用することが望ましいのであるが、そのような魚皮で形成された擬餌を使用した場合、擬餌が海水を吸って柔らかくなるとともに、孔の部分も膨らんで大きくなり、所定の位置から移動し、釣果を損なうとともに、短時間のうちに釣り針から外れ落ちてしまうことになり、頻繁に擬餌を付け替えなければならないのである。また、このような方法で釣りを行なう際には、竿のシャクリ操作により擬餌に動きを与えて魚を誘うことになるのであるが、釣り針に薄い擬餌をチョン掛けした場合、図５のＡ、並びにＢの２に示すようよ擬餌は平面状態のままで、上下に反転するだけで、生餌の動きとは全くかけ離れた動きをし、魚を誘う効果は殆ど期待できないのである。
【０００５】
この発明は、メバルや鯛釣り等の際に使用する擬餌に関するものであって、従来のものに見られた上記のような欠点を除去しようとするものである。
【課題を解決するための手段】
【０００６】
この発明は、魚釣り用の擬餌に関するものであって、一方側から他方側に向けて幅狭状になるように裁断した細長状の薄いシート片の幅広側部に、釣り針を刺し入れ得る柔軟性樹脂を盛り付けることによって膨出部を形成した構成となっているのである。
【発明の効果】
【０００７】
この発明に係る釣り用擬餌は、細長状の薄いシート片の幅広側部に、釣り針を刺し入れ得る柔軟性樹脂を盛り付けることによって膨出部を形成した構成となっているため、擬餌を釣り針に付ける際に、膨出部に釣り針を刺し入れて掛け止めることができるため、釣り中に釣り針を刺し入れた部分が緩んで大きくなるというようなことがなく、擬餌の頭部が常に釣り針の所定位置に固定される状態となり、従来のもののように釣り中に擬餌全体が釣り針の所定位置から移動したり、釣り針から外れ落ちるというようなことがなるという利点があるのである。
【０００８】
特に、釣果の向上を図るためには、擬餌の素材として、サバやカワハギ等の魚皮を乾燥させたシート片（０．２ｍｍ〜０．４ｍｍ程度の厚さの乾燥魚皮）を使用するのが理想的であるが、そのような天然素材を使用した擬餌を海中に投下した場合、擬餌が短時間のうちに海水を吸い込んで膨らんで柔らかくなり、僅かな潮の流れによって擬餌が所定位置から移動したり、釣り針から脱落して仕舞うことから、チョン掛けにして使用出来ないのであるが、この発明にかかる擬餌にあっては、柔軟性樹脂で形成した膨出部に釣り針を刺し入れて釣り針に掛け止め得る構成となっているため、海中に投下した場合でも、掛け止め部が大きく広がるというようなことがないのは勿論のこと、柔軟性樹脂が滑り止め機能を果すため、釣り中に、擬餌が釣り針の所定位置から移動したり、釣り針から脱落するというようなことがなくなるという利点があるのである。それによって、釣果の向上を期待し得るサバ皮やハゲ皮等の天然素材を使用した擬餌や極薄状の擬餌を形成することが可能となり、釣果の向上を図り得ることになるのである。
【０００９】
また、擬餌の胴部を一枚（一重）の薄い魚皮で形成することが可能となるとともに、頭部を樹脂で膨出させた構成となっているため、頭部に釣り針を刺して海中に投下した場合、頭部が釣り針に固定された状態でシート状の胴部がたなびく形となり、小魚が浮遊しているような自然な動きをし、魚の食いを良くし、釣果の向上を図り得ることになるのである。特に、釣り竿のシャクリを加えた場合、図５のＡの１、並びにＢの１に示すにように、擬餌全体が恰も小魚が遊泳しているような動きを示し、魚の誘いを良くし、釣果の向上を図り得るという利点があるのである。
【実施例】
【００１０】
図面にもとづいて、この発明の実施例を説明すると、擬餌本体１は、一方側から他方側に向けて幅狭状になるように裁断した細長状の薄いシート片２の幅広側部に、釣り針４を刺し入れ得る柔軟性樹脂を盛り付けることによって膨出部３を形成した構成となっているのである。
【００１１】
すなわち、シート片２は、乾燥させたサバ皮等を、５センチメートル程度の幅になるように裁断するとともに、その両端部に夜光塗料６・６を塗布したシート５を、図２に示すように、一方側から他方側に向けて斜め状に切り取ることによって、一方側が幅広状で、他方側が幅狭状となり、その両端部に夜光塗料６・６が塗布された構成となっているのである。
【００１２】
膨出部３の形成は、硬化時には、釣り針４を刺し入れ得る程度の柔軟性を保持する半透明性の溶融樹脂の中に、シート片２の幅広部を漬けた後、硬化させるという方法によって行なわれ、硬化した場合、シート片２の幅広部に塗布した夜光塗料６が透けて見える構成となっているのである。従って、擬餌本体１を釣り針４に刺して海中に投下した場合、擬餌本体１の尾側（細幅状部）の夜光塗料６が光るとともに、頭部（膨出部３を形成した幅広部）も淡い光を放つ構成となっているのである。
【００１３】
擬餌本体１は、上記のような構成であって、釣りに際しては、図  に示すとおり、擬餌本体１の幅広部に形成した膨出部３に釣り針４を刺し入れ、釣り針４から垂らした状態（いわゆる、チョン掛けした状態。）となるようにして使用されるのである。
【図面の簡単な説明】
【００１４】
【図１】擬餌本体を示す斜視図である。
【図２】擬餌本体を構成するシート片の構成を示す正面図である。
【図３】擬餌本体の使用状態を示す斜視図である。
【図４】従来の擬餌針の構成を示す側面図である。
【図５】従来の擬餌と本発明にかかる擬餌との動きを示す正面図である。
【符号の説明】
【００１５】
１  擬餌本体
２  シート片
３  膨出部
４  釣り針
【図１】
2006304687.tif 000003
【図２】
2006304687.tif 000004
【図３】
2006304687.tif 000005
【図４】
2006304687.tif 000006
【図５】
2006304687.tif 000007